(57)【特許請求の範囲】
【請求項１】
記憶部と、
被験者の性別と、年齢と、肥満度に関する情報と、内臓脂肪蓄積に関する情報と、糖尿病に関する情報と、高脂血症に関する情報と、高血圧に関する情報と、喫煙歴に関する情報とを入力して前記記憶部に記憶するための入力手段と、
少なくとも肥満度に関する情報と、前記記憶部に記憶されている基準値と、内臓脂肪蓄積に関する情報とに基づいて被験者が保健指導対象者に該当するか否かを判定する第１の判定手段と、
前記第１の判定手段により被験者が保健指導対象者に該当すると判定された場合に、前記記憶部に記憶されている糖尿病に関する情報と、前記記憶部に記憶されている高脂血症に関する情報と、前記記憶部に記憶されている高血圧に関する情報と、前記記憶部に記憶されている喫煙歴に関する情報と、前記記憶部に記憶されている基準値と、前記基準値による判定では見落とされてしまう被検者を抽出するために前記記憶部に記憶されている予備基準値とに基づいて被験者を複数の階層のいずれかに振り分ける振分手段と、
前記振分手段から被験者を複数の階層のいずれかに振り分けた結果を受け取り、前記受け取った結果に基づいて被験者のそれぞれについて健康維持のための保健指導支援情報を出力する出力手段とを備え、
肥満度に関する情報は、身長および体重であり、
内臓脂肪蓄積に関する情報は、腹囲であり、
糖尿病に関する情報は、空腹時血糖値とＨｂＡ１ｃ値と薬物治療を受けているか否かであり、
高脂血症に関する情報は、中性脂肪値とＨＤＬコレステロール値と薬物治療を受けているか否かであり、
高血圧に関する情報は、収縮期血圧と拡張期血圧と薬物治療を受けているか否かであり、
喫煙歴に関する情報は、喫煙歴が有るか無いかであり、
前記第１の判定手段は、被験者が男性でありかつ腹囲が前記記憶部に記憶されている基準値である８５ｃｍ以上である場合および被験者が女性でありかつ腹囲が前記記憶部に記憶されている基準値である９０ｃｍ以上である場合には被験者を「腹囲に基づいて保健指導対象者とされた被験者」とし、被験者が男性でありかつ腹囲が前記記憶部に記憶されている基準値である８５ｃｍ未満でありかつＢＭＩが前記記憶部に記憶されている基準値である２５以上である場合および被験者が女性でありかつ腹囲が前記記憶部に記憶されている基準値である９０ｃｍ未満でありかつＢＭＩが前記記憶部に記憶されている基準値である２５以上である場合には、被験者を「ＢＭＩに基づいて保健指導対象者とされた被験者」とし、
前記振分手段は、
まず、充足条件数をゼロとし、その後、
1)空腹時血糖が前記記憶部に記憶されている基準値である１００ｍｇ／ｄＬ以上、2)ＨｂＡ１ｃが前記記憶部に記憶されている基準値である５．２％以上、3)薬剤治療を受けている、という３つの条件のうち１つでも該当する場合に充足条件数に１を加えるステップと、
1)中性脂肪が前記記憶部に記憶されている基準値である１５０ｍｇ／ｄＬ以上、2)ＨＤＬコレステロールが前記記憶部に記憶されている基準値である４０ｍｇ／ｄｌ未満、3)薬剤治療を受けている、という３つの条件のうち１つでも該当する場合に充足条件数に１を加えるステップと、
1)収縮期血圧が前記記憶部に記憶されている基準値である１３０ｍｍＨｇ以上、2)拡張期血圧が前記記憶部に記憶されている基準値である８５ｍｍＨｇ以上、3)薬剤治療を受けている、という３つの条件のうち１つでも該当する場合に充足条件数に１を加えるステップと、
1)空腹時血糖が前記記憶部に記憶されている基準値である１００ｍｇ／ｄＬ未満、2)ＨｂＡ１ｃが前記記憶部に記憶されている基準値である５．２％未満、3)薬剤治療を受けていない、という３つの条件をすべて満たし、かつ、4)空腹時血糖が前記記憶部に記憶されている予備基準値である９０ｍｇ／ｄＬ以上、5)ＨｂＡ１ｃが前記記憶部に記憶されている予備基準値である４．７％以上、という２つの条件のうち１つでも該当する場合に、充足条件数に０．５を加えるステップと、
1)中性脂肪が前記記憶部に記憶されている基準値である１５０ｍｇ／ｄＬ未満、2)ＨＤＬコレステロールが前記記憶部に記憶されている基準値である４０ｍｇ／ｄｌ以上、3)薬剤治療を受けていない、という３つの条件をすべて満たし、かつ、4)中性脂肪が前記記憶部に記憶されている予備基準値である１３５ｍｇ／ｄＬ以上、5)ＨＤＬコレステロールが前記記憶部に記憶されている予備基準値である４４ｍｇ／ｄｌ未満、という２つの条件のうち１つでも該当する場合に、充足条件数に０．５を加えるステップと、
1)収縮期血圧が前記記憶部に記憶されている基準値である１３０ｍｍＨｇ未満、2)拡張期血圧が前記記憶部に記憶されている基準値である８５ｍｍＨｇ未満、3)薬剤治療を受けていない、という３つの条件をすべて満たし、かつ、4)収縮期血圧が前記記憶部に記憶されている予備基準値である１１７ｍｍＨｇ以上、5)拡張期血圧が前記記憶部に記憶されている予備基準値である７７ｍｍＨｇ以上、という２つの条件のうち１つでも該当する場合に、充足条件数に０．５を加えるステップと、
を順不同に実行し、その後、
充足条件数が１以上でありかつ喫煙歴が有る場合に充足条件数にさらに１を加え、
被験者が「腹囲に基づいて保健指導対象者とされた被験者」でありかつ充足条件数が２以上の場合には被験者を「積極的支援レベル」に振り分け、
被験者が「腹囲に基づいて保健指導対象者とされた被験者」でありかつ充足条件数が１以上２未満の場合には被験者を「動機づけ支援レベル」に振り分け、
被験者が「腹囲に基づいて保健指導対象者とされた被験者」でありかつ充足条件数が０以上１未満の場合には被験者を「情報提供レベル」に振り分け、
被験者が「ＢＭＩに基づいて保健指導対象者とされた被験者」でありかつ充足条件数が３以上の場合には被験者を「積極的支援レベル」に振り分け、
被験者が「ＢＭＩに基づいて保健指導対象者とされた被験者」でありかつ充足条件数が１以上３未満の場合には被験者を「動機づけ支援レベル」に振り分け、
被験者が「ＢＭＩに基づいて保健指導対象者とされた被験者」でありかつ充足条件数が０以上１未満の場合には被験者を「情報提供レベル」に振り分ける、保健指導支援装置。
【請求項２】
前記出力手段は、前記記憶部に記憶されている被験者の年齢が６５歳以上７５歳未満の場合には、前記振分手段から受け取った結果が「積極的支援レベル」である場合に「動機づけ支援レベル」に対応した保健指導支援情報を出力する、請求項１に記載の保健指導支援装置。
【発明の詳細な説明】
【技術分野】
【０００１】
本発明は、保健指導支援装置に関する。より詳しくは、保健指導対象者の選定と階層化を簡便に行うことができる保健指導支援装置に関する。
【背景技術】
【０００２】
メタボリックシンドロームとは、内臓脂肪蓄積、糖尿病、高脂血症、高血圧症などの動脈硬化危険因子が同一患者に重複して存在する病態を言う。平成１７年（２００５年）４月８日に日本内科学会総会において、日本人のためのメタボリックシンドロームの診断基準（該当するか否かの判定基準）が発表された。この診断基準では、メタボリックシンドロームの指標として、ウエスト周囲径、収縮期血圧、拡張期血圧、空腹時血糖値、中性脂肪値、及びＨＤＬコレステロール値が用いられている。ウエスト周囲径は、ウエストの周囲長のことである。「ウエスト周囲径」という表現では、「ウエスト周囲の直径」と誤解されかねないので、以下ではこれを「腹囲」と呼ぶ。
【０００３】
ところで、厚生労働省の発表では、１９６０万人がメタボリックシンドロームに該当し、動脈硬化症を発症する危険があると言われている。かかる事情を背景に、メタボリックシンドロームに対する一般国民の関心が高まっている。
【０００４】
平成２０年（２００８年）４月より、医療保険制度の改定が行なわれる。該改定においては、メタボリックシンドロームへの関心の高まりを受け、医療保険者（国民健康保険および被用者保険）に対し、４０歳以上の被保険者および被扶養者を対象とする健康診断及び保健指導の事業実施が義務付けられる。
【０００５】
図７は、平成１９年４月に厚生労働省健康局が発表した保健指導対象者の判定および階層化を行なうステップを示すフローチャートである。該フローチャートに基づいて、被験者が複数の階層へと振り分けられ、それぞれの階層に応じて被験者への支援策ないし情報の提供が行なわれる。
【０００６】
一方、メタボリックシンドロームの診断装置（正確には診断プログラム）は、特許文献１に記載されたものが知られている程度である。この診断装置においては、インスリン抵抗指数とβ細胞機能指数から糖代謝の状態を判断することによってメタボリックシンドロームに該当するか否か診断する。
【特許文献１】特開２００６−６４４５７号公報
【発明の開示】
【発明が解決しようとする課題】
【０００７】
しかしながら、特許文献１記載の診断装置は、メタボリックシンドロームの指標として、インスリン抵抗指数及びβ細胞機能指数を用いるため、その診断方法が、厚生労働省健康局が発表した保健指導対象者の選定と階層化の判定基準に合致しない。
【０００８】
該判定基準は複雑で、誰もが容易に行なえるものではない。また、保健指導に関しても、被験者は「積極的支援レベル」「動機づけ支援レベル」「情報提供レベル」などに分類され、それぞれの支援レベルにおいても、支援方法は多種に亘る。そこで、厚生労働省健康局発表の判定基準によって保健指導対象者の選定と階層化を行い、判定結果に基づいて保険指導プログラムを提供できる装置が要望されている。
【０００９】
また、厚生労働省健康局発表の判定基準では、リスクの高い被験者を見落としてしまう危険性がある。例えば、男性で腹囲が８５ｃｍ未満、ＢＭＩが２５未満のものは、仮に糖尿病、高脂血症、高血圧の可能性が高く、喫煙歴があったとしても、保健指導対象者からは外れてしまう。同じく、判定方法が「あり」「なし」の２者択一であるため、仮に動脈硬化性疾患に対するリスクの高い疾患を有していたり、重度の疾患を有していたりしたとしても、積極的な保健指導を受けられない可能性がある。そのような危険を避けるために、個々のデータの確認に割く時間を増やすことも考えられる。しかし、健康診断対象者は、４０〜７５歳の間でも平成１８年１０月１日の時点で男性２７９２万人、女性２９０５万人、合計５６９７万人と、総人口１億２６２５万人の４５．２％を占めている。かかる膨大な対象者に対し医師不足が深刻化している現状を考えれば、データ確認作業の精密化は現実的な対策とは言えない。
【００１０】
本発明はこのような課題を解決するためになされたもので、厚生労働省健康局発表の判定基準によって保健指導対象者の選定と階層化を簡便に行うことができる保健指導支援装置等を提供することを第１の目的とする。
【００１１】
また、本発明は、発病リスクが高いにも関わらず厚生労働省健康局発表の判定基準では見落とされてしまう被験者を抽出できる保健指導支援装置等を提供することを第２の目的とする。
【課題を解決するための手段】
【００１２】
上記課題を解決すべく、本発明の保健指導支援装置は、被験者の性別と、年齢と、肥満度に関する情報と、内臓脂肪蓄積に関する情報と、糖尿病に関する情報と、高脂血症に関する情報と、高血圧に関する情報と、喫煙歴に関する情報とを入力するための入力手段と、少なくとも肥満度に関する情報と内臓脂肪蓄積に関する情報とに基づいて被験者が保健指導対象者に該当するか否かを判定する第１の判定手段と、前記第１の判定手段により被験者が保健指導対象者に該当すると判定された場合に、糖尿病に関する情報と、高脂血症に関する情報と、高血圧に関する情報と、喫煙歴に関する情報とに基づいて被験者を複数の階層のいずれかに振り分ける振分手段と、前記振分手段によって振り分けられた階層に基づいて被験者のそれぞれについて健康維持のための保健指導支援情報を出力する出力手段とを備える。
【００１３】
かかる構成では、厚生労働省健康局発表の判定基準によって保健指導対象者の選定と階層化を簡便に行うことができる。
【００１４】
上記の保健指導支援装置において、肥満度に関する情報は、身長および体重であり、内臓脂肪蓄積に関する情報は、腹囲であり、糖尿病に関する情報は、空腹時血糖値とＨｂＡ１ｃ値と薬物治療を受けているか否かであり、高脂血症に関する情報は、中性脂肪値とＨＤＬコレステロール値と薬物治療を受けているか否かであり、高血圧に関する情報は、収縮期血圧と拡張期血圧と薬物治療を受けているか否かであり、喫煙歴に関する情報は、喫煙歴が有るか無いかであり、前記第１の判定手段は、被験者が男性でありかつ腹囲が８５ｃｍ以上である場合および被験者が女性でありかつ腹囲が９０ｃｍ以上である場合には被験者を「腹囲に基づいて保健指導対象者とされた被験者」とし、被験者が男性でありかつ腹囲が８５ｃｍ未満でありかつＢＭＩが２５以上である場合および被験者が女性でありかつ腹囲が９０ｃｍ未満でありかつＢＭＩが２５以上である場合には、被験者を「ＢＭＩに基づいて保健指導対象者とされた被験者」とし、前記振分手段は、まず、充足条件数をゼロとし、その後、1)空腹時血糖が１００ｍｇ／ｄＬ以上、2)ＨｂＡ１ｃが５．２％以上、3)薬剤治療を受けている、という３つの条件のうち１つでも該当する場合に充足条件数に１を加えるステップと、1)中性脂肪が１５０ｍｇ／ｄＬ以上、2)ＨＤＬコレステロールが４０ｍｇ／ｄｌ未満、3)薬剤治療を受けている、という３つの条件のうち１つでも該当する場合に充足条件数に１を加えるステップと、1)収縮期血圧が１３０ｍｍＨｇ以上、2)拡張期血圧が８５ｍｍＨｇ以上、3)薬剤治療を受けている、という３つの条件のうち１つでも該当する場合に充足条件数に１を加えるステップと、を順不同に実行し、その後、充足条件数が１以上でありかつ喫煙歴が有る場合に充足条件数にさらに１を加え、被験者が「腹囲に基づいて保健指導対象者とされた被験者」でありかつ充足条件数が２以上の場合には被験者を「積極的支援レベル」に振り分け、被験者が「腹囲に基づいて保健指導対象者とされた被験者」でありかつ充足条件数が１以上２未満の場合には被験者を「動機づけ支援レベル」に振り分け、被験者が「腹囲に基づいて保健指導対象者とされた被験者」でありかつ充足条件数が０以上１未満の場合には被験者を「情報提供レベル」に振り分け、被験者が「ＢＭＩに基づいて保健指導対象者とされた被験者」でありかつ充足条件数が３以上の場合には被験者を「積極的支援レベル」に振り分け、被験者が「ＢＭＩに基づいて保健指導対象者とされた被験者」でありかつ充足条件数が１以上３未満の場合には被験者を「動機づけ支援レベル」に振り分け、被験者が「ＢＭＩに基づいて保健指導対象者とされた被験者」でありかつ充足条件数が０以上１未満の場合には被験者を「情報提供レベル」に振り分けてもよい。
【００１５】
かかる構成では、厚生労働省健康局発表の判定基準によって保健指導対象者の選定と階層化を簡便に行うことができる。
【００１６】
上記の保健指導支援装置において、肥満度に関する情報は、身長および体重であり、内臓脂肪蓄積に関する情報は、腹囲であり、糖尿病に関する情報は、空腹時血糖値とＨｂＡ１ｃ値と薬物治療を受けているか否かであり、高脂血症に関する情報は、中性脂肪値とＨＤＬコレステロール値と薬物治療を受けているか否かであり、高血圧に関する情報は、収縮期血圧と拡張期血圧と薬物治療を受けているか否かであり、喫煙歴に関する情報は、喫煙歴が有るか無いかであり、前記第１の判定手段は、被験者が男性でありかつ腹囲が８５ｃｍ以上である場合および被験者が女性でありかつ腹囲が９０ｃｍ以上である場合には被験者を「腹囲に基づいて保健指導対象者とされた被験者」とし、被験者が男性でありかつ腹囲が８５ｃｍ未満でありかつＢＭＩが２５以上である場合および被験者が女性でありかつ腹囲が９０ｃｍ未満でありかつＢＭＩが２５以上である場合には、被験者を「ＢＭＩに基づいて保健指導対象者とされた被験者」とし、前記振分手段は、まず、充足条件数をゼロとし、その後、1)空腹時血糖が１００ｍｇ／ｄＬ以上、2)ＨｂＡ１ｃが５．２％以上、3)薬剤治療を受けている、という３つの条件のうち１つでも該当する場合に充足条件数に１を加えるステップと、1)中性脂肪が１５０ｍｇ／ｄＬ以上、2)ＨＤＬコレステロールが４０ｍｇ／ｄｌ未満、3)薬剤治療を受けている、という３つの条件のうち１つでも該当する場合に充足条件数に１を加えるステップと、1)収縮期血圧が１３０ｍｍＨｇ以上、2)拡張期血圧が８５ｍｍＨｇ以上、3)薬剤治療を受けている、という３つの条件のうち１つでも該当する場合に充足条件数に１を加えるステップと、1)空腹時血糖が１００ｍｇ／ｄＬ未満であり、かつ2)ＨｂＡ１ｃが５．２％未満であり、かつ3)薬剤治療を受けておらず、かつ所定の条件を充足する場合に、充足条件数に０．５を加えるステップと、1)中性脂肪が１５０ｍｇ／ｄＬ未満であり、かつ2)ＨＤＬコレステロールが４０ｍｇ／ｄｌ未満であり、かつ3)薬剤治療を受けておらず、かつ所定の条件を充足する場合に、充足条件数に０．５を加えるステップと、1)収縮期血圧が１３０ｍｍＨｇ未満であり、かつ2)拡張期血圧が８５ｍｍＨｇ未満であり、かつ3)薬剤治療を受けておらず、かつ所定の条件を充足する場合に、充足条件数に０．５を加えるステップと、を順不同に実行し、その後、充足条件数が１以上でありかつ喫煙歴が有る場合に充足条件数にさらに１を加え、被験者が「腹囲に基づいて保健指導対象者とされた被験者」でありかつ充足条件数が２以上の場合には被験者を「積極的支援レベル」に振り分け、被験者が「腹囲に基づいて保健指導対象者とされた被験者」でありかつ充足条件数が１以上２未満の場合には被験者を「動機づけ支援レベル」に振り分け、被験者が「腹囲に基づいて保健指導対象者とされた被験者」でありかつ充足条件数が０以上１未満の場合には被験者を「情報提供レベル」に振り分け、被験者が「ＢＭＩに基づいて保健指導対象者とされた被験者」でありかつ充足条件数が３以上の場合には被験者を「積極的支援レベル」に振り分け、被験者が「ＢＭＩに基づいて保健指導対象者とされた被験者」でありかつ充足条件数が１以上３未満の場合には被験者を「動機づけ支援レベル」に振り分け、被験者が「ＢＭＩに基づいて保健指導対象者とされた被験者」でありかつ充足条件数が０以上１未満の場合には被験者を「情報提供レベル」に振り分けてもよい。
【００１７】
かかる構成では、発病リスクが高いにも関わらず厚生労働省健康局発表の判定基準では見落とされてしまう被験者を抽出できる。
【００１８】
上記の保健指導支援装置において、前記出力手段は、被験者の年齢が６５歳以上７５歳未満の被験者については、「積極的支援レベル」に振り分けられた場合に「動機づけ支援レベル」に対応した保健指導支援情報を出力してもよい。
【００１９】
かかる構成では、６５歳以上７５歳未満の被験者について積極的な保健指導支援情報を出力しないこととすることができる。
【発明の効果】
【００２０】
本発明は、以上に説明したように構成され、厚生労働省健康局発表の判定基準によって保健指導対象者の選定と階層化を簡便に行うことができる保健指導支援装置等を提供できる。
【００２１】
また、発病リスクが高いにも関わらず厚生労働省健康局発表の判定基準では見落とされてしまう被験者を抽出できる保健指導支援装置等を提供できる。
【発明を実施するための最良の形態】
【００２２】
以下、本発明の好ましい実施の形態を、図面を参照しながら説明する。
【００２３】
（第１実施形態）
［装置構成］
図１は、本発明の第１実施形態の保健指導支援装置の概略構成の一例を示す正面図である。図２は、本発明の第１実施形態の保健指導支援装置の電気的構成の一例を示すブロック図である。
【００２４】
図１に示すように、本実施の形態に係る保健指導支援装置１は、いわゆるカード型の本体２を有している。本体２の正面中央部には表示部３が配設され、表示部３の下方に操作部１５が配設されている。
【００２５】
表示部３には、判定結果表示領域１０と、入力データ表示領域１２とが設けられている。
【００２６】
操作部１５は、電源スイッチ６と、判定モードスイッチ７と、データ入力設定モードスイッチ８と、インクリメントキー９aと、ディクリメントキー９bとを備えている。
【００２７】
図２に示すように、保健指導支援装置１は、ＣＰＵ等の演算処理装置からなる中央処理部１９を有している。中央処理部１９は、バスを介してメモリ等からなる記憶部２０に接続されている。記憶部２０には、後述する保健指導支援装置１の動作を遂行するためのプログラムが記憶されかつ後述する判定条件が満たされるか否かの基準となる基準データ値（以下、基準値という）が記憶されている。操作部１５の操作入力はＩ／Ｏ１７を介して中央処理部１９に入力される。表示部３は、中央処理部１９によってＩ／Ｏ１７を介して表示を制御される。
【００２８】
以上の構成により、保健指導支援装置１では、被験者が、操作部１５を適宜操作して、被験者の性別、年齢、身長（肥満度に関する情報１）、体重（肥満度に関する情報２）、腹囲（内臓脂肪蓄積に関する情報）、空腹時血糖値（糖尿病に関する情報１）、ＨｂＡ１ｃ値（糖尿病に関する情報２）、中性脂肪値（高脂血症に関する情報１）、ＨＤＬコレステロール値（高脂血症に関する情報２）、収縮期血圧（高血圧に関する情報１）、拡張期血圧（高血圧に関する情報２）、既に薬剤治療を受けているか否か（糖尿病に関する情報３、高脂血症に関する情報３、高血圧に関する情報３）、喫煙歴（喫煙歴に関する情報）、を入力することができ、この操作入力は中央処理部１９に入力される。なお、喫煙歴とは喫煙をしたことがあるか否かの情報を指す。喫煙歴がＹＥＳの者とは、例えば、「現在、習慣的に喫煙している者」を指し、「現在、習慣的に喫煙している者」とは、例えば、「合計１００本以上、又は６ヶ月以上吸っている者であり、最近1 ヶ月間も吸っている者」としてもよい。あるいは、合計１００本以上、又は６ヶ月以上吸っている（吸っていた）者であり、現在（この１ヶ月間）「毎日吸う」又は「ときどき吸っている」者を、喫煙歴がＹＥＳの者としてもよい。腹囲は、別途、被験者についてなされた身体測定によって得られたデータである。収縮期血圧、拡張期血圧、空腹時血糖値、ＨｂＡ１ｃ、ＨＤＬコレステロール値、及び中性脂肪値は、別途、被験者についてなされた血圧検査、血液検査等によって得られた血液測定データである。空腹時血糖値は、被験者の空腹時における血糖値である。中央処理部１９に入力された個人特定データ及び血液測定データ（以下、入力データという場合がある）は、適宜、記憶部２０に記憶される。中央処理部１９は、この入力データ、すなわち入力された被験者の性別、年齢、身長、体重、腹囲、空腹時血糖値、ＨｂＡ１ｃ値、中性脂肪値、ＨＤＬコレステロール値、収縮期血圧、拡張期血圧、既に薬剤治療を受けているか否か、喫煙歴と、後述する判定プログラムに基づいて、被験者がいずれの支援レベルに該当するかを判定し、その判定結果を、表示部３に表示する。
【００２９】
［動作］
次に、以上のように構成された保健指導支援装置１の動作（階層判定プログラムの内容）を説明する。図３は本発明の第１実施形態の保健指導支援装置１の判定動作の一例を示すフローチャートである。
【００３０】
ここでは、保健指導支援装置１の動作のうち、判定動作のみ図３を用いて説明し、それ以外の動作は図を用いずに説明する。
【００３１】
図１及び図２において、記憶部２０には、予め、男性の腹囲＝８５ｃｍ、女性の腹囲＝９０ｃｍ、ＢＭＩ＝２５、空腹時血糖値＝１００ｍｇ／ｄｌ、ＨｂＡ１ｃ＝５．２％、中性脂肪値＝１５０ｍｇ／ｄｌ、ＨＤＬコレステロール値＝４０ｍｇ／ｄｌ、収縮期血圧＝１３０ｍｍＨｇ、拡張期血圧＝８５ｍｍＨｇ、という基準値（図７参照）が記憶されている。基準値は、厚生労働省健康局発表の判定基準における基準値である。
１）データの入力
保健指導支援装置１の動作においては、まず電源スイッチ６を押すと保健指導支援装置１の電源がＯＮする。次に、判定に必要なデータの入力が行なわれる。具体的には、デー夕入力設定モードスイッチ８、インクリメントキー９a、及びディクリメントキー９bを操作して被験者の性別、年齢、身長、体重、腹囲、空腹時血糖値、ＨｂＡ１ｃ値（ヘモグロビンＡ１ｃ）、中性脂肪値、ＨＤＬコレステロール値、収縮期血圧、拡張期血圧、既に薬剤治療を受けているか否か、喫煙歴を順次入力する。例えば、デー夕入力設定モードスイッチ８を押すと、その度に、表示部３の入力データ表示領域１２に、入力すべきデータの項目（性別、年齢、身長、体重、腹囲、空腹時血糖値、ＨｂＡ１ｃ値、中性脂肪値、ＨＤＬコレステロール値、収縮期血圧、拡張期血圧、既に薬剤治療を受けているか否か、喫煙歴）が順次表示される。この操作によって入力項目として、例えば「中性脂肪値」を表示させる。すると、この「中性脂肪値」の文字及びその単位を表す文字とともにこの「中性脂肪値」を表す数値が入力データ表示領域１２に表示される。一方、インクリメントキー９aを押すと、その度に、入力データ表示領域１２に表示されている数値が増大し、ディクリメントキー９bを押すと、その度に、この数値が減少する。そこで、この操作により、入力データ表示領域１２に表示されている数値を所望の数値に設定する。次いで、デー夕入力設定モードスイッチ８を押すと、この「中性脂肪値」の項目と数値とが中央処理部１９に入力されるとともに記憶部２０に記憶される。そして、入力データ表示領域１２に次の項目とその数値が表示されるので、前記の場合と同様の操作によりこの項目とその数値を入力する。このようにして、これらの操作を個人特定データ及び血液測定データの各項目について行うことにより、それらが中央処理部１９に入力されるとともに記憶部２０に記憶される。
【００３２】
データの入力が完了すると、判定動作が行なわれる。具体的には、判定モードスイッチ７を押す。すると中央処理部１９が、記憶部２０に記憶された被験者のデータと基準値と予備基準値とに基づいて、図３に示すプログラムに従い判定動作を行う。以下、図３を参照しつつ判定動作を詳細に説明する。
２）保健指導対象者の選定
判定動作がスタートすると、まず、変数Ｐ（ポイント）にゼロが代入される（ステップＳ１０１）。次に、ステップＳ１０２〜Ｓ１０４において、性別が男性の場合には腹囲が８５ｃｍ以上、性別が女性の場合には腹囲が９０ｃｍ以上であるか否かを判定し、判定結果がＹＥＳの場合には血糖検査結果に関する判定（ステップＳ１０６）に進む。ステップＳ１０６以下では保健指導対象者の階層化が行なわれる。
【００３３】
ステップＳ１０２〜Ｓ１０４の判定結果がＮＯの場合にはステップＳ１０５に進み、ＢＭＩの値が２５以上であるか否かの判定が行なわれる。ＢＭＩは、被験者の身長データおよび体重データを用いて、以下の式を用いて、中央処理部１９により演算される。
【００３４】
ＢＭＩ＝体重（ｋｇ）／身長（ｍ）２
ステップＳ１０５においてＢＭＩが２５以上と判定された場合には血糖検査結果に関する判定（ステップＳ１２５）に進む。ステップＳ１２５以下では保健指導対象者の階層化が行なわれる。
【００３５】
ステップＳ１０５の判定結果がＮＯの場合には、中央処理部１９は、表示部３の判定結果表示領域１０に「非該当」と表示する（ステップＳ１４０）。
３）腹囲に基づいて保健指導対象者とされた被験者の階層化
血糖検査結果に関する判定（ステップＳ１０６）では、1)空腹時血糖≧１００ｍｇ／ｄＬ、2)ＨｂＡ１ｃ≧５．２％、3)薬物治療を受けている、という３つの条件のうちいずれか一つでも満たされるか否かの判定が行なわれる。判定結果がＹＥＳの場合にはＰに１が加えられ（ステップＳ１０８）、脂質検査結果に関する判定（ステップＳ１１０）に進む。血糖検査結果に関する判定（ステップＳ１０６）の判定結果がＮＯの場合には、そのまま脂質検査結果に関する判定（ステップＳ１１０）に進む。
【００３６】
脂質検査結果に関する判定（ステップＳ１１０）では、1)中性脂肪≧１５０ｍｇ／ｄＬ、2)ＨＤＬコレステロール＜４０ｍｇ／ｄＬ、3)薬物治療を受けている、という３つの条件のうちいずれか一つでも満たされるか否かの判定が行なわれる。判定結果がＹＥＳの場合にはＰに１が加えられ（ステップＳ１１２）、脂質検査結果に関する判定（ステップＳ１１４）に進む。脂質検査結果に関する判定（ステップＳ１１０）の判定結果がＮＯの場合には、そのまま血圧検査結果に関する判定（ステップＳ１１４）に進む。
【００３７】
血圧検査結果に関する判定（ステップＳ１１４）では、1)収縮期血圧≧１３０ｍｍＨｇ、2)拡張期血圧≧８５ｍｍＨｇ、3)薬物治療を受けている、という３つの条件のうちいずれか一つでも満たされるか否かの判定が行なわれる。判定結果がＹＥＳの場合にはＰに１が加えられ（ステップＳ１１６）、喫煙歴の判定（ステップＳ１１８）に進む。血圧検査結果に関する判定（ステップＳ１１４）の判定結果がＮＯの場合には、そのまま喫煙歴の判定（ステップＳ１１８）に進む。
【００３８】
喫煙歴の判定（ステップＳ１１８）では、1)Ｐ≧１、2)喫煙歴がある、という２つの条件を全て満たすか否かの判定が行なわれる。判定結果がＹＥＳの場合にはＰに１が加えられ（ステップＳ１１９）、ポイントの判定（ステップＳ１２０、Ｓ１２２〜Ｓ１２４）に進む。喫煙歴の判定（ステップＳ１１８）の判定結果がＮＯの場合には、そのままポイントの判定（ステップＳ１２０、Ｓ１２２〜Ｓ１２４）に進む。
【００３９】
ポイントの判定（ステップＳ１２０、Ｓ１２２〜Ｓ１２４）では、Ｐが２以上の場合、中央処理部１９は、表示部３の判定結果表示領域１０に「積極的支援レベル」と表示する（ステップＳ１２２）。Ｐが１以上２未満の場合、中央処理部１９は、表示部３の判定結果表示領域１０に「動機づけ支援レベル」と表示する（ステップＳ１２３）。Ｐが１未満の場合、中央処理部１９は、表示部３の判定結果表示領域１０に「情報提供レベル」と表示する（ステップＳ１２４）。
４）ＢＭＩに基づいて保健指導対象者とされた被験者の階層化
ＢＭＩに基づいて保健指導対象者とされた被験者の階層化（ステップＳ１２５〜Ｓ１３９、ステップＳ１２１〜Ｓ１２４）では、まず、血糖検査結果と脂質検査結果と血圧検査結果とを用いて、ステップＳ１０６〜Ｓ１１８と同様の処理が行なわれ（詳細な説明は省略する）、ポイント（Ｐ）が演算される（ステップ１２５〜Ｓ１３８）。その後、ポイントの判定（ステップＳ１３９、Ｓ１２１〜Ｓ１２４）により、Ｐが３以上の場合、中央処理部１９は、表示部３の判定結果表示領域１０に「積極的支援レベル」と表示する（ステップＳ１２２）。Ｐが１以上３未満の場合、中央処理部１９は、表示部３の判定結果表示領域１０に「動機づけ支援レベル」と表示する（ステップＳ１２３）。Ｐが１未満の場合、中央処理部１９は、表示部３の判定結果表示領域１０に「情報提供レベル」と表示する（ステップＳ１２４）。
【００４０】
［効果］
本実施形態の保健指導支援装置１によれば、厚生労働省健康局発表の判定基準によって保健指導対象者の選定と階層化を簡便に行うことができる。
【００４１】
［変形例］
基準値は操作部１５を介して入力可能としてもよい。
【００４２】
上述の説明では、「積極的支援レベル」、「動機づけ支援レベル」、「情報提供レベル」、「非該当」という支援レベルの情報を、健康維持のための保健指導支援情報としたが、他の情報が表示されてもよい。例えば、各支援レベルに応じて、具体的な保健指導プログラムが表示されてもよい。
【００４３】
被験者の年齢が６５歳以上７５歳未満の被験者については積極的な保健指導支援情報を出力しないこととしてもよい。例えば、６５歳以上７５歳未満の被験者については、積極的支援レベルに該当する場合に「動機づけ支援レベル」が表示されてもよい。
【００４４】
（第２実施形態）
第１実施形態の保健指導支援装置は、厚生労働省健康局発表の判定基準に基づく判定をそのまま実行するものであったのに対し、第２実施形態の保健指導支援装置は、発病リスクが高いにも関わらず厚生労働省健康局発表の判定基準では見落とされてしまう被験者を抽出することが可能である点で異なっている。
【００４５】
［装置構成］
第２実施形態の保健指導支援装置２００の装置構成は第１実施形態の保健指導支援装置１と同様であるので、詳細な説明を省略する。
【００４６】
［動作］
第２実施形態の保健指導支援装置２００の動作（階層判定プログラムの内容）を説明する。図４は、本発明の第２実施形態の保健指導支援装置２００の判定動作の一例を示すフローチャートである。
【００４７】
ここでは、保健指導支援装置２００の動作のうち、判定動作のみ図４を用いて説明し、それ以外の動作は図を用いずに説明する。
【００４８】
図１及び図２において、記憶部２０には、予め、男性の腹囲＝８５ｃｍ、女性の腹囲＝９０ｃｍ、ＢＭＩ＝２５、空腹時血糖値＝１００ｍｇ／ｄｌ、ＨｂＡ１ｃ＝５．２％、中性脂肪値＝１５０ｍｇ／ｄｌ、ＨＤＬコレステロール値＝４０ｍｇ／ｄｌ、収縮期血圧＝１３０ｍｍＨｇ、拡張期血圧＝８５ｍｍＨｇ、という基準値（図７参照）が記憶されている。記憶部２０にはさらに、予め、空腹時血糖値＝９０ｍｇ／ｄｌ、ＨｂＡ１ｃ＝４．７％、中性脂肪値＝１３５ｍｇ／ｄｌ、ＨＤＬコレステロール値＝４４ｍｇ／ｄｌ、収縮期血圧＝１１７ｍｍＨｇ、拡張期血圧＝７７ｍｍＨｇ、という予備基準値が記憶されている。予備基準値は、厚生労働省健康局発表の判定基準では見落とされてしまう被験者を抽出するために、基準を満たさない数値のうち基準値の１０％以内に入るものについてフラグを立てるための値である。具体的には、基準値を上回る場合に異常と判定される場合には、基準値よりも１０％低い値が予備基準値とされ、基準値を下回る場合に異常と判定される場合には、基準値よりも１０％高い値が予備基準値とされる。
１）データの入力
起動方法およびデータの入力方法については、第１実施形態と同様であるので説明を省略する。
【００４９】
データの入力が完了すると、判定動作が行なわれる。具体的には、判定モードスイッチ７を押す。すると中央処理部１９が、記憶部２０に記憶された被験者のデータと基準値と予備基準値とに基づいて、図４に示すプログラムに従い判定動作を行う。以下、図４を参照しつつ判定動作を詳細に説明する。
２）保健指導対象者の選定
判定動作がスタートすると、まず、変数Ｐ（ポイント）にゼロが代入される（ステップＳ２０１）。次に、ステップＳ２０２〜Ｓ２０４において、性別が男性の場合には腹囲が８５ｃｍ以上、性別が女性の場合には腹囲が９０ｃｍ以上であるか否かを判定し、判定結果がＹＥＳの場合には血糖検査結果に関する判定（ステップＳ２０６）に進む。ステップＳ２０６以下では保健指導対象者の階層化が行なわれる。
【００５０】
ステップＳ２０２〜Ｓ２０４の判定結果がＮＯの場合にはステップＳ２０５に進み、ＢＭＩの値が２５以上であるか否かの判定が行なわれる。ＢＭＩは、被験者の身長データおよび体重データを用いて、以下の式を用いて、中央処理部１９により演算される。
【００５１】
ＢＭＩ＝体重（ｋｇ）／身長（ｍ）2
ステップＳ２０５においてＢＭＩが２５以上と判定された場合には血糖検査結果に関する判定（ステップＳ２２５）に進む。ステップＳ２２５以下では保健指導対象者の階層化が行なわれる。
【００５２】
ステップＳ２０５の判定結果がＮＯの場合には、中央処理部１９は、表示部３の判定結果表示領域１０に「非該当」と表示する（ステップＳ２４０）。
３）腹囲に基づいて保健指導対象者とされた被験者の階層化
血糖検査結果に関する判定（ステップＳ２０６）では、1)空腹時血糖≧１００ｍｇ／ｄＬ、2)ＨｂＡ１ｃ≧５．２％、3)薬物治療を受けている、という３つの条件のうちいずれか一つでも満たされるか否かの判定が行なわれる。判定結果がＹＥＳの場合にはＰに１が加えられ（ステップＳ２０８）、脂質検査結果に関する判定（ステップＳ２１０）に進む。
【００５３】
血糖検査結果に関する判定（ステップＳ２０６）の判定結果がＮＯの場合には、予備的な判定（ステップＳ２０７）が行なわれる。具体的には、1)空腹時血糖≧９０ｍｇ／ｄＬ、2)ＨｂＡ１ｃ≧４．７％、という２つの条件のうちいずれか一つでも満たされるか否かの判定が行なわれる。判定結果がＹＥＳの場合にはＰに０．５が加えられ（ステップＳ２０９）、脂質検査結果に関する判定（ステップＳ２１０）に進む。判定結果がＮＯの場合には、そのまま脂質検査結果に関する判定（ステップＳ２１０）に進む。
【００５４】
脂質検査結果に関する判定（ステップＳ２１０）では、1)中性脂肪≧１５０ｍｇ／ｄＬ、2)ＨＤＬコレステロール＜４０ｍｇ／ｄＬ、3)薬物治療を受けている、という３つの条件のうちいずれか一つでも満たされるか否かの判定が行なわれる。判定結果がＹＥＳの場合にはＰに１が加えられ（ステップＳ２１２）、脂質検査結果に関する判定（ステップＳ２１４）に進む。
【００５５】
脂質検査結果に関する判定（ステップＳ２１０）の判定結果がＮＯの場合には、予備的な判定（ステップＳ２１１）が行なわれる。具体的には、1)中性脂肪≧１３５ｍｇ／ｄＬ、2)ＨＤＬコレステロール＜４４ｍｇ／ｄＬ、という２つの条件のうちいずれか一つでも満たされるか否かの判定が行なわれる。判定結果がＹＥＳの場合にはＰに０．５が加えられ（ステップＳ２１３）、血圧検査結果に関する判定（ステップＳ２１４）に進む。判定結果がＮＯの場合には、そのまま血圧検査結果に関する判定（ステップＳ２１４）に進む。
【００５６】
血圧検査結果に関する判定（ステップＳ２１４）では、1)収縮期血圧≧１３０ｍｍＨｇ、2)拡張期血圧≧８５ｍｍＨｇ、3)薬物治療を受けている、という３つの条件のうちいずれか一つでも満たされるか否かの判定が行なわれる。判定結果がＹＥＳの場合にはＰに１が加えられ（ステップＳ２１６）、喫煙歴の判定（ステップＳ２１８）に進む。
【００５７】
血圧検査結果に関する判定（ステップＳ２１４）の判定結果がＮＯの場合には、予備的な判定（ステップＳ２１５）が行なわれる。具体的には、1)収縮期血圧≧１１７ｍｍＨｇ、2)拡張期血圧≧７７ｍｍＨｇ、という２つの条件のうちいずれか一つでも満たされるか否かの判定が行なわれる。判定結果がＹＥＳの場合にはＰに０．５が加えられ（ステップＳ２１７）、喫煙歴の判定（ステップＳ２１８）に進む。判定結果がＮＯの場合には、そのまま喫煙歴の判定（ステップＳ２１８）に進む。
【００５８】
喫煙歴の判定（ステップＳ２１８）では、1)Ｐ≧１、2)喫煙歴がある、という２つの条件を全て満たすか否かの判定が行なわれる。判定結果がＹＥＳの場合にはＰに１が加えられ（ステップＳ２１９）、ポイントの判定（ステップＳ２２０〜Ｓ２２４）に進む。喫煙歴の判定（ステップＳ２１８）の判定結果がＮＯの場合には、そのままポイントの判定（ステップＳ２２０〜Ｓ２２４）に進む。
【００５９】
ポイントの判定（ステップＳ２２０〜Ｓ２２４）では、Ｐが２以上の場合、中央処理部１９は、表示部３の判定結果表示領域１０に「積極的支援レベル」と表示する（ステップＳ２２２）。Ｐが１以上２未満の場合、中央処理部１９は、表示部３の判定結果表示領域１０に「動機づけ支援レベル」と表示する（ステップＳ２２３）。Ｐが１未満の場合、中央処理部１９は、表示部３の判定結果表示領域１０に「情報提供レベル」と表示する（ステップＳ２２４）。
４）ＢＭＩに基づいて保健指導対象者とされた被験者の階層化
ＢＭＩに基づいて保健指導対象者とされた被験者の階層化（ステップＳ２２５〜Ｓ２３９、ステップＳ２２１〜Ｓ２２４）では、まず、血糖検査結果と脂質検査結果と血圧検査結果とを用いて、ステップＳ２０６〜Ｓ２１８と同様の処理が行なわれ（詳細な説明は省略する）、ポイント（Ｐ）が演算される（ステップ２２５〜Ｓ２３７）。その後、ポイントの判定（ステップＳ２３８〜Ｓ２３９）により、Ｐが３以上の場合、中央処理部１９は、表示部３の判定結果表示領域１０に「積極的支援レベル」と表示する（ステップＳ２２２）。Ｐが１以上３未満の場合、中央処理部１９は、表示部３の判定結果表示領域１０に「動機づけ支援レベル」と表示する（ステップＳ２２３）。Ｐが１未満の場合、中央処理部１９は、表示部３の判定結果表示領域１０に「情報提供レベル」と表示する（ステップＳ２２４）。
【００６０】
［効果］
本実施形態の保健指導支援装置２００によれば、発病リスクが高いにも関わらず厚生労働省健康局発表の判定基準では見落とされてしまう被験者を抽出できる。
【００６１】
［変形例］
基準値や予備基準値は操作部１５を介して入力可能としてもよい。予備基準値は基準値より１０％高いあるいは低い値に限られず、見落とされてしまう被験者を抽出できるものであればどのような値でもよい。それぞれの指標に応じて基準値からのずれが異なっていてもよい。基準値からのずれを操作者が操作部１５を介して例えばパーセンテージで入力し、これが記憶部２０に記憶され、予備基準値が判定時に随時演算によって求められてもよい。
【００６２】
その他、第１実施形態と同様の変形例が可能である。
【００６３】
（第３実施形態）
第１実施形態および第２実施形態の保健指導支援装置は、それぞれの検査結果の数値が所定の基準値を上回るか否かでポイントを加算したが、第３実施形態では、腹囲と各検査結果との組み合わせに基づいてポイントを決定し、それを合算することで合計ポイントを演算する。合計ポイントに基づいて、被験者がいずれの支援レベルに該当するかが判定される。
【００６４】
［装置構成］
第３実施形態の保健指導支援装置３００の装置構成については、第１実施形態と同様であるので説明を省略する。
【００６５】
［動作］
次に、保健指導支援装置３００の動作（階層判定プログラムの内容）を説明する。図５は、本発明の第３実施形態の保健指導支援装置３００の判定動作において、腹囲と各検査結果との組合せに基づいてポイントを決定するための表の一例である。図６は、本発明の第３実施形態の保健指導支援装置３００の判定動作の一例を示すフローチャートである。以下、図５および図６を参照しつつ、保健指導支援装置３００の判定動作を説明する。
【００６６】
記憶部２０には、予め、図５のような表が記憶されている。
１）データの入力
起動方法およびデータの入力方法については、第１実施形態と同様であるので説明を省略する。
【００６７】
データの入力が完了すると、判定動作が行なわれる。具体的には、判定モードスイッチ７を押す。すると中央処理部１９が、記憶部２０に記憶された被験者のデータと基準値と予備基準値とに基づいて、図６に示すプログラムに従い判定動作を行う。
２）ポイントの決定と合算
判定動作がスタートすると、まず、変数Ｐ（ポイント）にゼロが代入される（ステップＳ３０１）。次に、ステップＳ３０２において、ポイントの決定と合算が行なわれる。ポイントの決定は以下の手順で行なわれる。
【００６８】
まず、被験者が性別と腹囲により、図５の表においてどの行を参照するかが決定される。例えば、女性で腹囲が８０ｃｍの場合には、４行目が参照される。男性で腹囲が９０ｃｍの場合には、３行目が参照される。
【００６９】
次に、各検査結果についてどの列を参照するかが決定される。例えば、空腹時血糖値が１０２ｍｇ／ｄＬの場合には、上の表の２列目が参照される。ＨｂＡ１ｃが６％の場合には、下の表の３列目が参照される。
【００７０】
参照される行と列とが決定されると、それぞれの行と列に対応するセルの値がポイントとして決定され、全ての検査結果について合計される。得られた値が合計ポイントとなる。
【００７１】
例えば、女性で腹囲が８０ｃｍ、空腹時血糖値が１０２ｍｇ／ｄＬ、ＨｂＡ１ｃが６％中性脂肪値が１５０ｍｇ／ｄＬ、ＨＤＬコレステロールが３６ｍｇ／ｄＬ、収縮期血圧が１３５ｍｍＨｇ、拡張期血圧が９５ｍｍＨｇ、喫煙歴が有の場合には、ポイントがそれぞれ０．９０、０．９９、０．９０、０．９０、０．９９、０．９９、０．９９となり、合計ポイント（Ｐ）は６．６６となる。
２）判定
ポイントの決定と合算（ステップＳ３０２）が終ると、合計ポイントに基づいて判定と表示（ステップＳ３０３〜Ｓ３０７）が行なわれる。すなわち、合計ポイント（Ｐ）が７以上の場合、中央処理部１９は、表示部３の判定結果表示領域１０に「危険レベル」と表示する（ステップＳ３０５）。合計ポイント（Ｐ）が６以上７未満の場合、中央処理部１９は、表示部３の判定結果表示領域１０に「警告レベル」と表示する（ステップＳ３０６）。合計ポイント（Ｐ）が６未満の場合、中央処理部１９は、表示部３の判定結果表示領域１０に「非該当」と表示する（ステップＳ３０７）。
【００７２】
［効果］
本実施形態の保健指導支援装置３００によれば、発病リスクが高いにも関わらず厚生労働省健康局発表の判定基準では見落とされてしまう被験者を抽出できる。
【００７３】
［変形例］
上述の説明では腹囲と各検査結果との組合せに基づいてポイントを決定したが、他の指標と各検査結果とを組合せてポイントを決定してもよい。例えば、ＢＭＩと各検査結果とを組み合わせてもよいし、腹囲とＢＭＩと各検査結果とを組み合わせてもよい。後者の場合には、図５のような２次元の表ではなく、例えば３次元のマトリクスを用いてポイントが決定される。
【００７４】
その他、第１実施形態および第２実施形態と同様の変形例が可能である。
【産業上の利用可能性】
【００７５】
本発明に係る保健指導支援装置は、厚生労働省健康局発表の判定基準によって保健指導対象者の選定と階層化を簡便に行うことができる保健指導支援装置、あるいは発病リスクが高いにも関わらず厚生労働省健康局発表の判定基準では見落とされてしまう被験者を抽出できる保健指導支援装置として有用である。
【図面の簡単な説明】
【００７６】
【図１】図１は、本発明の第１実施形態の保健指導支援装置の概略構成の一例を示す正面図である。
【図２】図２は、本発明の第１実施形態の保健指導支援装置の電気的構成の一例を示すブロック図である。
【図３】図３は、本発明の第１実施形態の保健指導支援装置の判定動作の一例を示すフローチャートである。
【図４】図４は、本発明の第２実施形態の保健指導支援装置の判定動作の一例を示すフローチャートである。
【図５】図５は、本発明の第３実施形態の保健指導支援装置の判定動作において、腹囲と各検査結果との組合せに基づいてポイントを決定するための表の一例である。
【図６】図６は、本発明の第３実施形態の保健指導支援装置の判定動作の一例を示すフローチャートである。
【図７】図７は、平成１９年４月に厚生労働省健康局が発表した保健指導対象者の判定および階層化を行なうステップを示すフローチャートである。
【符号の説明】
【００７７】
１  保健指導支援装置
２  本体
３  表示部
６  電源スイッチ
７  判定モードスイッチ
８  データ入力設定モードスイッチ
９a  インクリメントキー
９b  ディクリメントキー
１０ 判定結果表示領域
１２  入力データ表示領域
１５  操作部
１７  Ｉ／Ｏ
１９  中央処理部
２０  記憶部
【図１】
0005053821.tif 000002
【図２】
0005053821.tif 000003
【図３】
0005053821.tif 000004
【図４】
0005053821.tif 000005
【図５】
0005053821.tif 000006
【図６】
0005053821.tif 000007
【図７】
0005053821.tif 000008